(57)【要約】      （修正有）【課題】本発明は、屋内作業時の落下事故を防止するための、安全帯掛止治具を提供する。【解決手段】第１発明は、平板状の固定部と、前記固定部の幅方向中央に垂直に立設する、平板状の掛止部３と、からなり、前記固定部２はビス挿通孔を有し、前記掛止部３はフック掛止孔を有する、安全帯掛止治具１。第２発明は、安全帯掛止治具１において、固定部２の幅は、固定する柱の幅よりも小さいことを特徴とする。【選択図】図１
2020151005.tif 000002
【特許請求の範囲】
【請求項１】
平板状の固定部と、
前記固定部の幅方向中央に垂直に立設する、平板状の掛止部と、からなり、
前記固定部はビス挿通孔を有し、
前記掛止部はフック掛止孔を有する、
安全帯掛止治具。
【請求項２】
請求項１に記載の安全帯掛止治具において、
前記固定部の幅は、固定する柱の幅よりも小さいことを特徴とする、
安全帯掛止治具。
【発明の詳細な説明】
【技術分野】
【０００１】
本発明は、特に木造住宅の建築時における屋内作業の際に安全帯のフックを掛止するための安全帯掛止治具に関するものである。
【背景技術】
【０００２】
従来から、高所で作業を行う際には、作業者は安全帯を用いて作業の安全を確保している。
高所作業時、作業者は腰部に装着した安全帯のフックを、予め固定された掛止部に掛止し、落下事故を防止する。
木造住宅の建設の際には、一般的には足場の手摺や支柱が掛止部となる。また、足場の設置が困難な屋根上においては、屋根上に張設した親綱にフックを掛止する。
【発明の概要】
【発明が解決しようとする課題】
【０００３】
足場や屋根上の作業は屋外作業である。一方、屋内作業では落下事故が想定されておらず、屋内には掛止部が存在しない。
しかし、開口部では荷揚げ作業の際に落下事故が起こる可能性があるにも関わらず、掛止部が存在しないため、落下事故を防止する手段がなかった。
【０００４】
本発明は、屋内作業時の落下事故を防止するための、安全帯掛止治具を提供することを目的とする。
【課題を解決するための手段】
【０００５】
上記目的を達成するためになされた本願の第１発明は、平板状の固定部と、前記固定部の幅方向中央に垂直に立設する、平板状の掛止部と、からなり、前記固定部はビス挿通孔を有し、前記掛止部はフック掛止孔を有する、安全帯掛止治具を提供する。
本願の第２発明は、第１発明の安全帯掛止治具において、前記固定部の幅は、固定する柱の幅よりも小さいことを特徴とする、安全帯掛止治具を提供する。
【発明の効果】
【０００６】
本発明は、上記した課題を解決するための手段により、次のような効果の少なくとも一つを得ることができる。
（１）屋内に、安全帯のフックを掛止できる安全帯掛止治具を設けることで、屋内の開口部での落下事故を防止することができる。
（２）安全帯掛止治具は柱の幅内に収まるため、予め木材加工工場で柱に取り付けた場合でも、運搬時に柱を横積みする際に他の柱に干渉することがない。
（３）掛止部は固定部の幅方向の中央に垂直に立設するため、フックを介していずれの方向に力が作用しても、ビスにかかる力が偏らず、ビスが抜けて安全帯掛止治具が柱から脱落することがない。
（４）安全帯掛止治具は、柱の幅内に収まるため、柱から取り外すことなく、そのまま内壁を構築することができる。
【図面の簡単な説明】
【０００７】
【図１】安全帯掛止治具の使用状態の説明図（１）
【図２】安全帯掛止治具の斜視図
【図３】安全帯掛止治具を柱に固定した状態の説明図（１）
【図４】安全帯掛止治具を柱に固定した状態の説明図（２）
【図５】安全帯掛止治具の使用状態の説明図（２）
【図６】安全帯掛止治具の使用状態の説明図（３）
【発明を実施するための形態】
【０００８】
以下、図に示す実施例に基づき、本発明を詳細に説明する。
【実施例】
【０００９】
［実施例１］
（１）安全帯掛止治具
本発明の安全帯掛止治具は、木造住宅の建築時に屋内の柱Ｐに固定し、安全帯のフックＨを掛止するためのものである（図１）。
安全帯掛止治具１は、柱Ｐに当接する固定部２と、固定部２に垂直に立設する掛止部３と、からなる。
安全帯掛止治具１は、鋼板を折曲して形成する。
【００１０】
（２）固定部
固定部２は、平面視矩形の平板状の部材である（図２）。
固定部２は、複数のビス孔２１を有し、ビス孔２１に挿通するビス４を介して柱Ｐに固定する。
柱Ｐに対して縦方向に並列するビス孔２１は、柱Ｐの軸線に対して左右にずらして配置するのが好ましい。軸線に対して左右にずらして配置することにより、柱Ｐの木目からずれ、柱Ｐが割れにくい配置となる。
固定部２の幅は柱Ｐの幅よりも小さくする。例えば８０ｍｍとすれば、在来工法、ツーバイフォーいずれにおいても、柱Ｐの幅内に収まる。
【００１１】
（３）掛止部
掛止部３は、固定部２の幅方向の中央から垂直に立設する。
掛止部３は、平板状であり、中央にフック掛止孔３１を形成する。
安全帯掛止治具１は、鋼板を折曲して形成するため、掛止部３は鋼板が重合している。
【００１２】
（４）安全帯掛止治具の柱への固定
本発明の安全帯掛止治具１は、木造住宅の建築時に屋内の柱Ｐに、掛止部３が柱Ｐの軸方向と平行になるように固定する（図３）。
屋内に、安全帯のフックＨを掛止できる安全帯掛止治具１を設けることで、屋内の開口部での落下事故を防止することができる。
安全帯掛止治具１は、柱Ｐに固定するが、予めプレカット工場やパネル工場等の木材加工工場で柱Ｐに取り付けてもよいし、現場で取り付けてもよい。安全帯掛止治具１は柱Ｐの幅内に収まるため、予め取り付けた場合でも、運搬時に柱Ｐを横積みする際に他の柱Ｐに干渉することがない。
また、安全帯掛止治具１は、柱Ｐの幅内に収まるため、柱Ｐから取り外すことなく、そのまま内壁を構築することができる。
安全帯掛止治具１は、ビス４を介して柱Ｐに固定するため、設置する柱Ｐや柱Ｐに対する高さを適宜選択することができる。
なお、本発明の安全帯掛止治具１は、柱Ｐのいずれの面に固定してもよいし（図４（ａ））、掛止部３が柱Ｐの軸方向と直交するように固定してもよい（図４（ｂ））。
【００１３】
（５）安全帯の掛止
安全帯のフックＨは、掛止部３のフック掛止孔３１に掛止する。
掛止部３は固定部２の幅方向の中央に垂直に立設するため、フックＨを介していずれの方向に力が作用しても、ビス４にかかる力が偏らず、ビス４が抜けて安全帯掛止治具１が柱Ｐから脱落することがない。
【００１４】
（６）親綱の配置
室内の開口部を利用して荷揚げした荷物の配置位置が開口部から離れている場合には、作業員が荷物を配置位置まで運ぶために水平方向に移動する必要がある。
このときには、対向する２本の柱Ｐにそれぞれ安全帯掛止治具１を固定し、固定した安全帯掛止治具１間に親綱５を渡設して、親綱５に安全帯のフックＨを掛止する。親綱５は、それぞれのフック掛止孔３１に結びつける（図５）。
２本の柱Ｐ間に親綱５を張設することで、作業員は安全帯のフックＨを外すことなく、親綱５に沿って水平方向に移動することができる。
なお、対向する柱Ｐ間に限らず、作業員の移動経路にある柱Ｐ１に沿って親綱５を曲げることで、離れた２本の柱Ｐ間に親綱５を渡設することもできる（図６）。
【符号の説明】
【００１５】
１    安全帯掛止治具
２    固定部
２１  ビス孔
３    掛止部
３１  フック掛止孔
４    ビス
５    親綱
【図１】
2020151005.tif 000003
【図２】
2020151005.tif 000004
【図３】
2020151005.tif 000005
【図４】
2020151005.tif 000006
【図５】
2020151005.tif 000007
【図６】
2020151005.tif 000008